(57)【要約】【課題】  既設の瓦棒葺き屋根の上に新たに瓦棒葺き屋根を構築することで、工事費が安価で、工期の短縮を可能とするとともに、屋根の外観を変化させず、屋根の厚さを抑え、軽量化も図れる瓦棒葺き屋根の改修工法を提供する。【解決手段】  複数の金属製屋根板１５，１５、・・・を瓦棒２０を介して連結してなる瓦棒葺き屋根の改修工法であって、屋根板の上に瓦棒の高さと略同等の厚さを有する断熱材３０を、また瓦棒上の凹部内にその深さと略同等な厚さを有する下地板２１を敷設して屋根表面を平坦にして改修屋根下地面を形成し、前記下地板２１および断熱材３０を覆うように防水層３１を設けた後、複数の金属製屋根板３２、３２、・・・を、前記瓦棒２０の上方に固定された瓦棒４０を介して連結することを特徴とする瓦棒葺き屋根の改修工法。上下にあるそれぞれの瓦棒の鉛直方向の中心線は一致させ、断熱材として発泡押出しポリスチレンを用いるのが好ましい。【選択図】図１
2006161453.tif 000002
【特許請求の範囲】
【請求項１】
複数の金属製屋根板を瓦棒を介して連結してなる瓦棒葺き屋根の改修工法であって、屋根板の上に瓦棒の高さと略同等の厚さを有する断熱材を、また瓦棒上の凹部内にその深さと略同等な厚さを有する下地板をそれぞれ敷設して屋根表面を平坦にし、前記下地板および断熱材を覆うように防水層を設けた後、複数の金属製屋根板を、前記瓦棒の上方に固定された瓦棒を介して連結することを特徴とする瓦棒葺き屋根の改修工法。
【請求項２】
前記瓦棒の上方に固定された瓦棒の鉛直方向の中心線は、前記防水層の下側の瓦棒のそれと合致させる請求項１に記載の瓦棒葺き屋根の改修工法。
【請求項３】
前記断熱材は発泡押出しポリスチレンである請求項１に記載の改修工法。
【発明の詳細な説明】
【技術分野】
【０００１】
この発明は、建築物における瓦棒葺き屋根の改修工法に関し、より詳細には既設の瓦棒葺き屋根をそのままにして、その上に新たな瓦棒葺き屋根を構築する改修工法に関する。
【背景技術】
【０００２】
瓦棒葺き屋根は、金属製屋根板を用いた屋根葺き工法の１つとして知られており、工場、体育館等の大規模建屋をはじめ、発電所、変電所等の中規模建屋や木造住宅等の小規模のものまで幅広く使用されている。この瓦棒葺き屋根の一般的な構造を、図６に示す。この図は、瓦棒葺き屋根の流れ方向に直角な方向の部分断面図を示している。図示のように、瓦棒葺き屋根は、屋根の構成部材である垂木１０と、これに固定され屋根全面に載置される野地板１１と、その上面全面に設けられる防水層１２とを有し、更にこの防水層の上に複数の金属製屋根板１５が、瓦棒２０を介して相互に連結されてなる構造を有する。通常、上記瓦棒２０は、屋根の流れ方向に平行に、即ち棟から軒先に向かって設けられ、複数の瓦棒２０、２０、・・・が上記方向に直角な方向に互いに所定の間隔をおいて配置される。このような瓦棒葺き屋根は、軽量で排水が容易で、豪雪地帯でも積雪荷重に十分に耐え、大型の建築物にも使用できる等といった利点を有する。
【０００３】
屋根全面に載置された防水層１２の上にこの瓦棒葺き屋根を施工するに当たっては、上記金属製屋根板１５とともに、瓦棒２０を構成する部材として金属製吊子１３及び金属製瓦棒キャップ１６が用いられる。図７は、上記金属製屋根板１５、吊子１３および瓦棒キャップ１６をそれぞれ示す斜視図である。
金属製屋根板１５は、図７（ａ）のように、防水層に接する底板１５１と、その両縁のそれぞれから略直角に立設された立ち上がり部１５２、１５２と、これらの立ち上がり部のそれぞれの上端から底板１５１と平行して相互に向けて延びる鍔片１５３、１５３とを有する略Ｃ型の断面を有する。この屋根板１５の幅、すなわち屋根板１５において上記立ち上がり部１５２間の距離は、上記垂木の配置ピッチ等に基づいて決定される。
【０００４】
吊子１３には、図７の（ｂ）や（ｃ−１）、（ｃ−２）に示すようなタイプのものなどがある。本明細書では、以下、説明の便宜上、上記（ｂ）のタイプを「通し吊子」と呼び、上記（ｃ−１）や（ｃ−２）のタイプを「吊子金具」と呼ぶ。また、以下では、単に「吊子」という場合には、特に断らない限り、上記の通し吊子および吊子金具（上記（ｃ−１）および（ｃ−２）のタイプ）のいずれをも含むものとし、通し吊子と（ｃ−１）のタイプの吊子金具とは、同様の断面形状を有するため、双方を示すのにいずれも符号「１３」を用い、これらを構成する各部についても同一の符号を用いることとする。
図７において、通し吊子１３及び吊子金具１３（図７（ｃ−１）のタイプ）は、底板１３１と、その両縁のそれぞれから略直角に立設された側板１３２、１３２と、これらの側板のそれぞれの上端から底板１３１に平行して相互に離れる方向に向けて延びる鍔片１３３、１３３とを有してなる。かくして、吊子１３は、底板１３１と、その両縁に立設された側板１３２、１３２とによって区画された溝を備えている。この溝の深さ（１３２で示される部分の高さ）は、上記屋根板１５の立ち上がり部１５１の高さと略同等であり、この吊子１３を所定の位置に配置した場合には上記底板１３１が防水層１２に接触した状態となる。また上記鍔片１３３、１３３の幅は、上記屋根板１５の鍔片１５３のそれと略同等となっている。
【０００５】
また、瓦棒キャップ１６は、図７（ｄ）に示すように、底板１６１と、その両縁から略直角に立設された側板１６２，１６２と、これらの側板１６２のそれぞれの上端から底板１６１と平行して相互に離隔する方向に延びる鍔片１６３、１６３とを備えてなる。かくして、瓦棒キャップ１６は、底板１６１と、その両縁に立設された側板１６２、１６２とによって区画された溝を備えている。この溝の幅は、上記吊子１３の溝にちょうど嵌合し、その深さは、上記吊子１３のそれよりも浅くなっており、この瓦棒キャップ１６を上記吊子１３の溝に嵌合した場合に、該瓦棒キャップ１６の下側に図６に示す空間１９が生じるようになっている。鍔片１６３の幅は、上記屋根板１５の鍔片１５３または吊子１３の鍔片１３３の幅よりも略２倍程度長くなっている。上記の屋根板１５、吊子１３及び瓦棒キャップ１６は、それぞれ屋根の棟から軒先までの長さを有する長尺品を使用するのが一般的である。
【０００６】
図８は、瓦棒葺き屋根の施工に当たり、上記屋根板１５、吊子１３および瓦棒キャップ１６を所定の位置に配置した状態を示す、図６と同方向の部分拡大図である。図中の吊子１３は、上記の通り、図７の通し吊子および２種類の吊子金具のいずれであってもよい。尚、この図において上記図６および７と共通する部分には、同一の符号を付している。また、本明細書では、以下「屋根の流れ方向」という用語を、一般的な用法に従い、屋根の棟から軒先に向かう傾斜方向の意味で用いることとする。
野地板１１が、屋根の流れ方向に平行に配置された複数の垂木１０の上に敷設され、この野地板１１の表面に全面にわたって防水層１２が設けられる。この防水層１２の上に屋根板１５が屋根の流れ方向に平行に設けられ、複数の屋根板１５、１５、・・・が上記方向に直角な方向に互いに所定の間隔をおいて配置される。隣接する２つの屋根板１５の間に、吊子１３が底板１３１を下にして挿入される。この際、２つの鍔片１３３は、両側の屋根板１５の鍔片１５３の上に、これを上から覆うようにそれぞれ載置され、両側板１３２，１３２と、これらとそれぞれ向き合う屋根板１５の立ち上がり部１５２，１５２とは相互に密着した状態とされる。また、底板１３１は防水層１２に接触した状態とされ、これを介して野地板１１または垂木１０その他の屋根下地に所定の間隔にビス、釘等の止着具１４を用いて固定される。この吊子１３の上に、瓦棒キャップ１６が被せられる。この際、瓦棒キャップ１６の底板１６１及び１６２，１６２から構成される溝が、吊子１３の両側板１３２，１３２の間に嵌合し、また２つの鍔片１６２，１６２が、吊子１３の２つの鍔片１３３，１３３をそれぞれ上から覆うように配置される。このように隣接する２つの屋根板１５、１５の鍔片１５３，１５３の上にそれぞれ重ねられた鍔片１３３、１３３および１６３、１６３は、上記鍔片１５３とともにそれぞれ馳締めされる。馳締めは、鍔片１５３と鍔片１３３とを包み込むように、鍔片１６３を先ず下側に折り曲げた後、この折り曲げられた鍔片１６３および鍔片１３３、１５３の全体を更に下側に折り曲げることにより行われる。このように馳締めされることで、隣り合う２つの屋根板１５，１５と吊子１３とが瓦棒キャップ１６を介して相互に連結されて瓦棒２０が形成される。このようにして屋根全面に施工され、更に棟や軒先等に所定の処理が行われることにより、瓦棒葺き屋根が構築される。
【０００７】
瓦棒葺き屋根の別の形式として、上記吊子１３の代わりに、図７（ｃ−２）に示す吊子金具３７を用い、これを一対にして木製角材からなる心木３６の両側に取り付けてなる組立体を用いて瓦棒を形成するものもある。この吊子金具３７は、側板３７２とその上端から略直角に延びる鍔片３７３とを備えた断面Ｌ字型の形状を備えた部材である。この組立体は、例えば、心木３６を止着具を用いて野地板または垂木に固定した後、その両側に２つの吊子金具３７をそれぞれの鍔片３７３が互いに離隔する方向に向くように配置し、これらの吊子金具３７の各側板３７２を心木３６に固定することより組み立てられる。そして、前記と同様にして、屋根板および瓦棒キャップを配置し、鍔片１５３、３７３および１６３を馳締めすることで、この別の形式の瓦棒葺き屋根が構築される。この形式の屋根は、主に木造住宅等に採用される。
【０００８】
このような瓦棒葺き屋根も、経時により屋根材や瓦棒キャップ等が老朽化すると、雨漏り等の不具合が生じる恐れがあるため、適当な周期で屋根を改修する必要がある。従来、この改修は、屋根材や瓦棒を剥がして野地板を露出させてから行われていたが、既設屋根材の撤去費用や処分費用が高価であり、工期が長くなるとともに、撤去作業中に廃材が屋根上から落下した場合に、廃材の落下地点周辺を汚したり、周辺の設備等を破損させる等の問題があった。そのため、近年では、既設の瓦棒葺き屋根の上に新たな屋根を形成する技術が多く提案されている。
【０００９】
例えば、特開平７−２８６４１０号公報は、既設の屋根の瓦棒に接するように新たに垂木を配設してその上に野地板を敷設しておき、これに屋根材を葺成する屋根葺き替え工法を開示する（特許文献１参照）。しかし、この改修工法では、瓦棒上に垂木および野地板を設置するため、屋根厚さが非常に厚くなり、重量も大きくなるという欠点がある。このような欠点は、豪雪地帯に建てられた建築物の場合、積雪荷重に耐えられないという深刻な問題を生じる可能性がある。
【００１０】
また、特開２００１−２０４６８号公報は、合成樹脂製シート接合部を有する断面略コ字状のキャップを上記シート接合部が上側にくるように既設屋根の瓦棒に被せ、屋根板の上に断熱材を配置し、上記断熱材および瓦棒キャップを覆うように防水シートを配置する改修方法を開示する（特許文献２参照）。しかし、この改修方法に用いられる防水シートは、その耐用年数が一般の金属製屋根材と比較して短く、耐候性について十分満足のいくものではなかった。
【００１１】
【特許文献１】特開平７−２８６４１０号公報
【特許文献２】特開２００１−２０４６８号公報
【発明の開示】
【発明が解決しようとする課題】
【００１２】
そこで、かかる事情に鑑み、本発明は、既設の瓦棒葺き屋根の上に新たに瓦棒葺き屋根を構築することによって、工事費が安価で、工期の短縮を可能とするとともに、屋根の外観を変化させないで、屋根の厚さを抑え、軽量化も図れる瓦棒葺き屋根の改修工法を提供することを目的とする。
【課題を解決するための手段】
【００１３】
上記目的は、本発明によれば、複数の金属製屋根板を瓦棒を介して連結してなる瓦棒葺き屋根の改修工法であって、屋根板の上に瓦棒の高さと略同等の厚さを有する断熱材を、また瓦棒上の凹部内にその深さと略同等な厚さを有する下地板を敷設して屋根表面を平坦にし、前記下地板および断熱材を覆うように防水層を設けた後、複数の金属製屋根板を、前記瓦棒の上方に固定された瓦棒を介して連結することを特徴とする瓦棒葺き屋根の改修工法によって達成される。
【発明の効果】
【００１４】
本発明によれば、既設瓦棒葺き屋根の瓦棒の上に新たに瓦棒を形成するように瓦棒葺き屋根を構築する改修工法としたので、改修工事前後の屋根の外観が変わることがない。また、既設の瓦棒葺き屋根の撤去が不要となるので、撤去費および処分費が不要となり、工事費の低廉化および工期の短縮が可能となる。
また、既設の瓦棒葺き屋根の屋根板の上に瓦棒の高さと略同等の高さの断熱材を敷設することにより、既設屋根上面を平坦としたので、屋根上での作業が安全に行え、従来技術で示したように瓦棒の上に新たに垂木等を配置して屋根全面を平坦にする必要がない点で、改修後の屋根が厚くなるのを防止できるとともに、屋根の軽量化も図られる。
【発明を実施するための最良の形態】
【００１５】
本発明の瓦棒葺き屋根の改修工法は、既設の瓦棒葺き屋根の上に直接施工される。この既設の瓦棒葺き屋根の形式については特に限定されず、従来公知の瓦棒葺き屋根に適用できる。具体的には、木造の屋根下地に葺かれ、瓦棒内に心木を内蔵する形式のものや、木造屋根下地または鉄骨屋根下地に葺かれ、瓦棒内に心木を内蔵しない形式のもののいずれにも好適に使用できる。この既設瓦棒葺き屋根の表面に著しく錆の浮きが認められる場合など必要に応じて、表面の防錆処理を施すことができる。この防錆処理は、具体的には、ケレン作業により屋根表面の錆を落とした後、さび止め塗料を塗布する方法などにより行われる。さび止め塗料には、公知のものが使用できる。
【００１６】
以下、図１〜図５を参照して、本発明の瓦棒葺き屋根の改修工法についてより詳細に説明する。図１は、本発明の瓦棒葺き屋根の改修工法によって得られる改修後の屋根の構造を示しており、屋根の流れ方向に直角な方向の部分断面図である。図２は、図１中の楕円形の枠で囲んだ部分を、馳締め前の状態で示す詳細図である。図３は、馳締め後の状態で示す図２と同様の詳細図である。図１において、垂木１０に固定されて屋根全面に敷設された野地板１１の上に、防水層１２が設けられ、その上に屋根板１５、吊子１３およびキャップ１６が図６と同様に組み合わされて既設の瓦棒葺き屋根が構築されている。上記垂木１０は、例えば角材等の木製のものであっても、C型チャンネル等の金属製のものであってもよい。また、野地板１１としては特に限定されないが、通常、木板、合板、石膏ボード、石綿板または木毛セメント板などのほか、鉄板や鋼板などの板材が使用される。尚、各図において共通する部分には、同一の符号を付すこととする。
【００１７】
本発明の改修方法では、この既設の瓦棒葺き屋根において、屋根板１５の上に瓦棒の高さと略同等の高さを有する断熱材３０を、また瓦棒上の凹部内にその深さと略同等な厚さを有する下地板をそれぞれ敷設することにより、既設屋根の不陸調整、すなわち屋根面の平坦化を行う。
【００１８】
上記断熱材３０の種類については特に限定されず、公知の断熱材を好適に使用できる。例えば、あらかじめ板状に成形されたものの他、屋根材の上に液状の断熱材成分を直接吹き付け等を行うことにより硬化させる現場硬化型のものであってもよい。板状に成形された断熱材の具体例としては、硬質発泡ウレタン成形品、発泡押出しポリスチレン等の樹脂製断熱材、ゴム系断熱材、グラスウール等が挙げられ、これらは単独で使用してもよいし、２種類以上を組み合わせて使用してもよい。また、現場硬化型の断熱材としては、現場硬化型硬質発泡ウレタンなどのウレタン樹脂系のものなどが挙げられる。これらのうち、板状に成形された断熱材を使用する場合には、屋根板１５上に敷設した場合に、その上を歩行できる程度の強度を有し、しかも軽量である硬質の発泡押出しポリスチレンを用いるのが好ましい。この発泡押出しポリスチレンは、ポリスチレンを主原料に発泡成形したものであり、独立気泡型と連続気泡型の２種類がある。本発明においては、これらのうち独立気泡型を用いることがより好ましい。尚、上記発泡押出しポリスチレンは、圧縮に強く、吸水性や透湿性がほとんどなく、熱伝導率が小さく、加工性にも優れるという利点も併せて有する。
【００１９】
この断熱材３０が板状成形品の場合、上記所定の厚さの断熱材を1層のみ敷設してもよいし、異種または同種の複数の薄い断熱材を積層して上記厚さとなるように敷設してもよい。この断熱材３０の幅は、図１に示すように、既設の屋根の凹部、すなわち屋根板１５上にちょうど収まる幅とするか、またはそれよりもわずかに小さい幅とするのがよい。そのため、予め断熱材を上記幅に裁断し、帯板状として現場に搬入して用いてもよく、改修しようとする屋根の凹部の幅に合わせて現場で断熱材を帯板状に裁断して用いてもよい。また、上記帯板状の断熱材は、屋根の棟から軒先の全長にわたって上記屋根板１５上に敷設されるようにするのが好ましい。そのため、上記全長と略同等の長さの帯板状の断熱材３０を用意できる場合には、それをそのまま屋根板１５上に敷設できる。大型建築物の屋根のように棟から軒先までの全長が長い場合など、上記全長と略同等の長さの断熱材を用意するのが困難な場合には、屋根板１５の上にその全長にわたって長さの短い帯板状の断熱材を隙間が生じないように当接させながら敷設するとよい。
【００２０】
現場硬化型の断熱材を使用する場合には、上記屋根板上の全面にこれを上記所定の厚さに流し込むかまたは吹き付けて硬化させればよい。また、この現場硬化型の断熱材は、上記板状成形品と組み合わせて用いることもできる。その場合、予め硬質発泡ウレタン等の現場硬化型の断熱材を屋根板１５上に流し込むか、または吹き付けることによって硬化させ、その上に板状の断熱材を敷設してもよく、またはその逆であってもよい。
【００２１】
瓦棒２０上の凹部内に敷設される下地板２１は、上記凹部の深さと略同等の厚さを有し、上記凹部の幅と略同等か、またはそれよりも小さい幅を有する断面略矩形の板状体であればよい。この下地板２１としては、例えば上記野地板１１として使用可能な板材などを適宜上記寸法となるように裁断などしたものを好適に使用できる。瓦棒２０の長さに対して、この下地板２１の長さが短い場合には、下地板２１をその端部を互いに当接しながら上凹部内に敷設することが好ましい。瓦棒鋼製の板材を使用する場合には、その表面を防錆処理しておくことが好ましい。
【００２２】
このようにして屋根板１５の上および瓦棒２０上の凹部内に断熱材３０および下地材２１をそれぞれ敷設して屋根表面を平坦にした後、この平坦にした屋根の表面（以下、改修屋根下地面という）全面を覆うように防水層３１を設ける。この防水層３１としては、建築物の防水工事に一般に用いられる公知のものを適宜選択して使用でき、例えばアスファルト防水層、改質アスファルト防水層、シート防水層、塗膜防水層などが挙げられる。
【００２３】
アスファルト防水層は、改修現場周辺でアスファルトを加熱して溶融させ、溶けたアスファルトを上記改修屋根下地面に流しながらルーフィング類を張り付けることによって得られる防水層であり、断熱材３０が高温に耐えられる材質のものである場合に使用できる。また、改質アスファルト防水層は、ポリマー類で改質されたアスファルト系シートを改修屋根下地面に張り付けることによって得られる防水層である。また、シート防水層は、加硫ゴムシートや塩化ビニル系シートを上記と同様に改修屋根下地面に張り付けて得られる防水層である。更にまた、塗膜防水層は、ウレタン等の液状の樹脂を上記改修屋根下地面に塗布し、硬化させて得られる防水層である。これらのうち、特に工期や作業性の観点からは、改質アスファルト防水層又はシート防水層を形成するのが好ましく、これらのうちアスファルトルーフィングを使用するのがより好ましい。
【００２４】
本発明においては、このようにして改修屋根下地面に形成された防水層３１の上に、複数の金属製屋根板３２を、前記瓦棒２０の上方に固定された新たな瓦棒４０を介して連結することにより、改修屋根を構築することを特徴とする。この改修屋根は、既設屋根の屋根面積や鋼製か木造かといった下地の種類等に応じて、瓦棒内に心木を内蔵するものかまたはこれを内蔵しないもののいずれかを適宜選択して施工できる。
【００２５】
本発明の改修工法に使用される金属製屋根板３２は、図２に示すように、底板３２１と、その両縁のそれぞれから略直角に立設された立ち上がり部３２２，３２２と、これらの側板のそれぞれの上端から底板３２１に平行して相互に離れる方向に向けて延びる鍔片３２３、３２３とを備え、既設屋根の屋根板１５と同様の形状を有する。この屋根板３２の長さ及び幅は、上記屋根板１５のそれらと略同等とされる。上記立ち上がり部３２２の高さ及び鍔片３２３の幅などは任意に設定できるが、これらも屋根板１５と略同等の寸法とするのが好ましい。また、この屋根板３２の材質については特に限定されず、改修工事の工期や改修後の屋根の耐用年数等を考慮の上、公知の材質の屋根板から適宜選択でき、屋根板１５と同じ材質に限定されない。このような屋根板としては、カラー鉄板、塩ビ鋼板、フッ素樹脂塗装鋼板、ガルバリウム鋼板、銅板、アルミニウム板、ステンレス板等が挙げられる。
【００２６】
瓦棒４０は、心木を用いずに本発明の改修工法を実施する場合、隣接する２つの屋根板３２，３２の立ち上がり部３２２，３２２と、これらを連結するのに用いる吊子３３および瓦棒キャップ３５で構成される。吊子３３は、上記吊子１３と同様に、図７に示す通し吊子および2種類の吊子金具と同様の形状のものの双方を含むものとする。また、図７において、通し吊子および（ｃ−１）の吊子金具のように同様の断面形状を有するものについては、いずれも符号「３３」を用い、これらの各部についても同一の符号を用いることとする。この吊子３３は、図２に示すように、底板３３１と、その両縁のそれぞれから略直角に立設された側板３３２、３３２と、これらの側板のそれぞれの上端から底板３３１に平行して相互に離れる方向に向けて延びる鍔片３３３、３３３とを有してなるものを好適に使用できる。かくして、吊子３３は、底板３３１と、その両縁に立設された側板３３２、３３２とによって区画された溝を備え、この溝の深さ（３３２で示される部分の高さ）は、上記屋根板３２の立ち上がり部３２２の高さと略同等であり、この吊子３３を所定の位置に配置した場合には、上記底板３３１が防水層３１に接触した状態となる。また上記鍔片３３３、３３３の幅は、上記屋根板１５の鍔片１５３のそれと略同等となっている。
【００２７】
屋根板３２と吊子３３とを防水層３１上に配置する方法としては特に制限がないが、一般的には、予め複数の屋根板３２を上記改修屋根下地面に平行に配置しておき、隣接する２つの屋根板３２、３２の間の隙間に吊子３３を挿入する方法が採られる。この場合、吊子３３が通し吊子であれば、これを棟から軒先までの全長にわたって上記隙間に挿入し、吊子金具の場合には、棟から軒先まで屋根の流れ方向に沿って所定の間隔で複数個の吊子金具を配置する。吊子３３としていずれを用いる場合であっても、図２に示すように、吊子３３の底板３３１は防水層３１に接した状態とされ、両側の鍔片３３３，３３３は、上記２つの屋根板の鍔片３２３，３２３の上にそれぞれ載置されるようにする。また、両側板３３２，３３２と、この吊子３３を両側から挟むように配置された屋根板３２の立ち上がり部３２２、３２２とは、相互に密着するようにする。
【００２８】
このようにして配置された吊子３３の鉛直方向の中心線は、図１に示すように、既設の瓦棒２０（吊子１３）の鉛直方向の中心線と合致させることが好ましい。そのため、上記屋根板３２の幅と既設の屋根板１５のそれとが異なる場合には、両者の差に相応して吊子３３の幅を変えるなどの方法を採用することで、上記既設及び新設の吊子１３及び３３の中心線を合致させることができる。
【００２９】
複数の屋根板３２，３２、・・・の間に配置された吊子３３は、その下の防水層３１、下地板２１および既設屋根の瓦棒２０をそれぞれ貫通する脚長のビス、アンカー等の止着具３４を用いて、その下側に配置されている垂木１０や野地板１１に固定される。上記止着具３４は、吊子３３が通し吊子の場合、屋根の流れ方向に沿って所定の間隔で用い、通し吊子と同様の断面形状の吊子金具を用いる場合には、個々の吊子に対して用いることが好ましい。これにより、下地板２１を介して各吊子３３を既設屋根の瓦棒２０に強固に固定することができる。その結果、新設される改修屋根は、既設屋根のみならず、その下の屋根下地にも確実に固定されることになる。
【００３０】
瓦棒４０は、心木を用いて本発明の改修工法を実施する場合、以下のように構成することができる。図４は、瓦棒内に心木を内蔵する既設屋根の上に、本発明の改修工法を実施して得られる改修屋根の構造を示す、図１と同方向の部分断面図である。この場合、先ず既設屋根に平行に配置された複数の瓦棒２０の上にそれぞれ木製の角材からなる心木３６を防水層３１を介して載置して、上記と同様の止着具３４を用いて、これらの複数の心木３６，３６、・・・を上記の下地板２１および瓦棒２０を通して垂木１０または野地板１１などに固定する。上記止着具３４は、心木３６の長さ方向に沿って所定の間隔で用いることが好ましい。各心木３６の両側面には、その長さ方向に沿って所定の間隔でこれを両側から挟むように、1対の吊子金具３７，３７をそれぞれ止着具３８を用いて心木３６に取り付ける。ここで使用される吊子金具３７としては、例えば図7（ｃ）に示すような側板３７２とその上端から略直角に延びる鍔片３７３とを備えた断面Ｌ字型の形状を備えた部材であって、心木と接する上記板面にビス等の止着具を通す貫通孔を少なくとも１つ有しているものなどが好適に使用できる。その後、上記心木３６，３６、・・・によって区画された防水層３１の各領域に屋根板３２を敷設する。
【００３１】
心木を用いない場合、用いる場合のいずれの場合も、上記のようにして吊子３３または吊子金具３７と心木３６とからなる組立体を所定の位置に固定した後、これらに上から瓦棒キャップ３５を被せる。この瓦棒キャップ３５としては、図７（ｄ）に示すものと同様に、底板３５１と、その両縁のそれぞれから略直角に立設された側板３５２，３５２と、これらの側板３５２のそれぞれの上端から底板３５１と平行して相互に離隔する方向に延びる鍔片３５３、３５３とを備えてなるものが好適に使用できる。上記底板３５１とその両縁の側板３５２、３５２によって区画された溝の幅は、上記吊子１３の溝にちょうど嵌合し、その深さは、上記吊子１３のそれよりも浅くなっており、この瓦棒キャップ１６を上記吊子１３の溝に嵌合した場合に、該瓦棒キャップ１６の下側に図６に示す空間３９が生じるようになっている。鍔片３５３の幅は、屋根板３２および吊子３３または吊子３７の鍔片の幅の約２倍程度とするのが好ましい。また、中央の溝の幅は、吊子３３を用いる場合、該吊子３３の溝に嵌合でき、また吊子金具３７を用いる場合には、一対の吊子金具３７によって心木３６上に形成される溝に嵌合できる程度に設定してもよく、これより狭い幅に設定してもよい。更に、上記溝の深さ（側板１６２の高さ）は、心木を用いない場合、任意に設定できるが、心木を用いる場合、当該心木３６の上面に底板３５１が接する程度に設定するのが好ましい。
【００３２】
瓦棒キャップ３５を被せた後、図２に示すように、下から屋根板３２、吊子３３(または吊子金具３７)および瓦棒キャップの順に重なって配置されたそれぞれの鍔片３２３，３３３（または３７３）および３５３を馳締めすることによって新たに瓦棒４０が形成される。馳締めは、公知の方法によって実施できる。例えば、屋根板３２の鍔片３２３および吊子３３の鍔片３３３（または吊子金具３７の鍔片３７３）を包み込むように、瓦棒キャップ３５の鍔片３５３を先ず下側に折り曲げた後、更にこの折り曲げられた鍔片３５３および鍔片３２３、３３３の全体を下側に折り曲げることにより行うことができる。そして、複数の屋根板３２、３２、・・・を瓦棒４０を介して相互に連結させるとともに、ケラバ、棟および軒先を処理することで、改修屋根としての瓦棒葺き屋根が構築される。
【００３３】
尚、改修屋根のケラバ、棟や軒先については、それぞれ公知の水切り用鋼板、棟包み用鋼板および唐草用鋼板を用い、公知の方法によって施工できる。例えば、ケラバにパラペットが設けられている場合、このケラバは以下のように施工される。図５は、パラペット６０を有するケラバの施工状況の一例を示す図である。この図のように、棟から軒先まで屋根の傾斜に沿ってパラペット６０の屋根(内)側の壁面と改修屋根との間の隙間に下地用木材６５を挿入し、これをパラペット６０に止着具（不図示）を用いて固定する。下地用木材６５は、この状態で、下地用木材６５の上端部が改修屋根の瓦棒４０と略同等の高さとなる寸法を有しているのがよい。この下地用木材６５には、その上面および屋根側の側面に防水層を止着具などを用いて固定した後、その上端部に沿ってパラペット６０の上記壁面に溝を設ける。そして、断面階段状の長尺の水切り用鋼板６１を用いて屋根板３２のケラバ側の立ち上がり部３２２および上記下地用木材６５を上から覆うとともに、上記鋼板６１のパラペット側の縁を上記溝６２内に挿入し、止着具６３を用いてパラペットに固定する。その後、当該溝６２内をシール材６４を用いて塞ぐことで、ケラバの施工が完了する。
【産業上の利用可能性】
【００３４】
本発明の瓦棒葺き屋根の改修工法は、屋根既設瓦棒葺き屋根の瓦棒の上に新たに瓦棒を形成するように瓦棒葺き屋根を構築するので、改修工事前後の屋根の外観が変わることがなく、既設屋根が急勾配（例えば、３０°）であっても安全に施工が可能である。また、既設の瓦棒葺き屋根の屋根面積の大小を問わず施工できるため、大規模建屋から戸建住宅等の小規模なものまでの改修が可能である。特に、本発明の改修工法は、大規模建屋でさらに急勾配の屋根に好適に使用できる。
本発明の改修工法ではまた、既設の瓦棒葺き屋根の撤去が不要となるので、撤去費および処分費が不要となり、工事費の低廉化および工期の短縮が可能であり、断熱材を既設屋根の凹部に敷設するので、天井のない建築物であっても断熱遮音効果があり有利である。
【図面の簡単な説明】
【００３５】
【図１】本発明の瓦棒葺き屋根の改修工法を実施して得られる改修屋根の部分断面図である。
【図２】図１中、楕円形で囲まれた部分を馳締め前の状態で示す詳細図である。
【図３】図２の馳締め後の詳細図である。
【図４】本発明の別の改修工法の一例を実施して得られる改修屋根の構造を示す、図１と同方向の部分断面図である  。
【図５】パラペット６０を有するケラバの施工状況の一例を示す図である。
【図６】一般的な瓦棒葺き屋根の流れ方向に直角な方向の部分断面図である。
【図７】従来技術で使用される屋根板、通し吊子、瓦棒キャップ等の斜視図である。
【図８】瓦棒葺き屋根の施工において、屋根板、通し吊子および瓦棒キャップの配置状態を示す部分拡大図である。
【符号の説明】
【００３６】
１      瓦棒葺き屋根の改修構造
１５    金属製屋根板
２０    瓦棒（既設構造）
３０    断熱材
３１    防水層
３２    金属製屋根板
４０    瓦棒（改修構造）
【図１】
2006161453.tif 000003
【図２】
2006161453.tif 000004
【図３】
2006161453.tif 000005
【図４】
2006161453.tif 000006
【図５】
2006161453.tif 000007
【図６】
2006161453.tif 000008
【図７】
2006161453.tif 000009
【図８】
2006161453.tif 000010